(57)【要約】【課題】  打込み横長楔の打込みを、楔用窓孔の内面に食い込みや変形を生じさせず正確にでき、梁と柱等の接合連繋を設定どおり強固なものにする。【解決手段】  梁または桁と柱、柱と土台等を接合連繋している木造建築物における接合連繋構造において、楔用窓孔ｂ′，ｃ′に、内面に楔案内溝１１，１１′、１６，１６′、１７，１７′、１８，１８′を掘設した一対の楔案内片ｄ，ｄ′、ｇ，ｇ′、ｊ，ｊ′、ｍ，ｍ′、ｏ，ｏ′を装着し、これら一対の楔案内片の間に打込み横長楔ｅ，ｉ，ｋ，ｎ，ｐを上記楔案内溝に案内させながら打ち込んでなり、かつ、一方の楔案内片ｄ、ｇ、ｊ、ｍ、ｏが、その先端部１０に係止部１２を突設し、その係止部１２に他方の楔案内片ｄ′、ｇ′、ｊ′、ｍ′、ｏ′の先端部１０′が係止している。【選択図】  図３
2005200937.tif 000002
【特許請求の範囲】
【請求項１】
柱に取り付けた接合金具に梁または桁の端部を嵌合し、その接合金具と梁または桁の楔用窓孔に、楔案内片を装着し、その楔案内片に重合案内させながら打込み横長楔を打ち込むことにより、梁または桁全体を柱に向かって移動し、梁または桁と柱を接合連繋している木造建築物における接合連繋構造において、楔用窓孔（ｂ′，ｃ′）に、たがいに対向する内面に楔案内溝（１１，１１′、１６，１６′、１７，１７′、１８，１８′）を掘設した一対の楔案内片（ｄ，ｄ′、ｇ，ｇ′、ｊ，ｊ′、ｍ，ｍ′、ｏ，ｏ′）を装着し、この一対の楔案内片（ｄ，ｄ′、ｇ，ｇ′、ｊ，ｊ′、ｍ，ｍ′、ｏ，ｏ′）の間に、打込み横長楔（ｅ，ｉ，ｋ，ｎ，ｐ）を上記楔案内溝（１１，１１′、１６，１６′、１７，１７′、１８，１８′）に案内させながら打ち込んでなることを特徴とする木造建築物における接合連繋構造。
【請求項２】
土台に取り付けた接合金具に柱の下端部を嵌合し、その接合金具と柱の下端部の楔用窓孔に、楔案内片を装着し、その楔案内片に重合案内させながら打込み横長楔を打ち込むことにより、柱全体を土台に向かって下降し、柱と土台を接合連繋している木造建築物における接合連繋構造において、楔用窓孔（ｂ′，ｃ′）に、たがいに対向する内面に楔案内溝（１１，１１′、１６，１６′、１７，１７′、１８，１８′）を掘設した一対の楔案内片（ｄ，ｄ′、ｇ，ｇ′、ｊ，ｊ′、ｍ，ｍ′、ｏ，ｏ′）を装着し、この一対の楔案内片（ｄ，ｄ′、ｇ，ｇ′、ｊ，ｊ′、ｍ，ｍ′、ｏ，ｏ′）の間に、打込み横長楔（ｅ，ｉ，ｋ，ｎ，ｐ）を上記楔案内溝（１１，１１′、１６，１６′、１７，１７′、１８，１８′）に案内させながら打ち込んでなることを特徴とする木造建築物における接合連繋構造。
【請求項３】
一対の楔案内片（ｄ，ｄ′、ｇ，ｇ′、ｊ，ｊ′、ｍ，ｍ′）が、たがいに対向する内面に掘設している楔案内溝（１１，１１′、１６，１６′、１７，１７′）を、基端部（９，９′）を深く、先端部（１０，１０′）を浅くしていることを特徴とする請求項１または２記載の木造建築物における接合連繋構造。
【請求項４】
一対の楔案内片（ｏ，ｏ′）が、たがいに対向する内面に掘設している楔案内溝（１８，１８′）を、基端部（９，９′）から先端部（１０，１０′）にわたり同じ深さにしていることを特徴とする請求項１，２または３記載の木造建築物における接合連繋構造。
【請求項５】
一方の楔案内片（ｄ、ｇ、ｊ、ｍ、ｏ）が、その外面に縦凹溝１３を掘設し、
その縦凹溝（１３）を接合金具（ｂ）の楔用窓孔（ｂ′）の孔縁ｂ′１に嵌合していることを特徴とする請求項１，２，３または４記載の木造建築物における接合連繋構造。
【請求項６】
一方の楔案内片（ｄ、ｇ、ｊ、ｍ、ｏ）が、その先端部１０に係止部１２を突設し、その係止部１２に他方の楔案内片（ｄ′、ｇ′、ｊ′、ｍ′、ｏ′）の先端部１０′が係止していることを特徴とする請求項１，２，３，４または５記載の木造建築物における接合連繋構造。
【請求項７】
一方の楔案内片（ｄ）が、その内面に掘設している楔案内溝（１１）を、先端部１０の係止部１２に貫通させていることを特徴とする請求項６記載の木造建築物における接合連繋構造。
【請求項８】
一対の楔案内片（ｄ，ｄ′、ｇ，ｇ′、ｊ，ｊ′、ｍ，ｍ′、ｏ，ｏ′）および打込み横長楔（ｅ，ｉ，ｋ，ｎ，ｐ）が木製、鉄等の金属製または合成樹脂製であることを特徴とする請求項１，２，３，４，５，６または７記載の木造建築物における接合連繋構造。
【発明の詳細な説明】
【技術分野】
【０００１】
本発明は、木造建築物における接合連繋構造、さらに詳しくは、木造建築物における梁，桁もしくは土台と柱との間の接合連繋構造の改良に関する。
【背景技術】
【０００２】
木造建築物におけるこの種の接合連繋構造として、特許文献１（第２５６５４４１号実用新案登録公報）および特許文献２（第２５７０５４３号実用新案登録公報）等に記載されたものが既に知られている。
【０００３】
特許文献１に記載のものは、梁と柱を接合連繋する構造で、柱に取り付けてある接合金具に梁の端部を嵌合し、その接合金具と梁に設けてある楔用窓孔に、楔案内片を挿通するとともに、打込み横長楔を、その一側面を上記楔案内片に摺接させながら打ち込み、これにより、梁全体が上記接合金具に対して柱に向かって移動し、梁の端部面を柱の側面に強制的に接合し強固に連繋するようにしたものである。
【０００４】
また、特許文献２に記載のものは、柱と土台を接合連繋する構造で、土台に取り付けてある接合金具に柱の下端部を嵌合し、その接合金具と柱に設けてある楔用窓孔に、楔案内片を挿通するとともに、打込み横長楔を、その一側面を上記楔案内片に摺接させながら打ち込み、これにより、柱全体が上記接合金具に対して土台に向かって下降し、柱の下端部面を土台の上面に強制的に接合し強固に連繋するようにしたものである。
【０００５】
すなわち、上記特許文献１および２記載のものは、いずれも、打込み横長楔の打込みを、その一側面については楔案内片に摺接させながら行うものであるが、該打込み横長楔の他側面は、上記楔用窓孔内において梁または柱の対向面に直接摺接しながらその対向面を押圧し、それによって、梁を柱に向けて移動させるか、柱を土台に向けて下降させている。
【０００６】
このため、梁または柱に形成されている楔用窓孔の上記対向面に、打込み横長楔の摺接と押圧による食い込みや変形を生じ、その打込み横長楔を正確に打ち込めず、したがってまた、梁と柱との接合連繋や柱と土台との接合連繋を、設定どおり強固なものにできないという問題があった。
【特許文献１】第２５６５４４１号実用新案登録公報
【特許文献２】第２５７０５４３号実用新案登録公報
【発明の開示】
【発明が解決しようとする課題】
【０００７】
本発明の目的は、打込み横長楔の打込みによっても、梁または柱等の楔用窓孔の対向面に食い込みや変形を生じさせることなく、その打込み横長楔を正確に打ち込むことができ、したがって、梁と柱との間の接合連繋や柱と土台との間の接合連繋を設定どおり強固なものにしようとするものである。
【課題を解決するための手段】
【０００８】
請求項１記載の本発明木造建築物における接合連繋構造は、柱に取り付けた接合金具に梁または桁の端部を嵌合し、その接合金具と梁または桁の楔用窓孔に、楔案内片を装着し、その楔案内片に重合案内させながら打込み横長楔を打ち込むことにより、梁または桁全体を柱に向かって移動し、梁または桁と柱を接合連繋している木造建築物における接合連繋構造において、楔用窓孔ｂ′，ｃ′に、たがいに対向する内面に楔案内溝１１，１１′、１６，１６′、１７，１７′、１８，１８′を掘設した一対の楔案内片ｄ，ｄ′、ｇ，ｇ′、ｊ，ｊ′、ｍ，ｍ′、ｏ，ｏ′を装着し、この一対の楔案内片ｄ，ｄ′、ｇ，ｇ′、ｊ，ｊ′、ｍ，ｍ′、ｏ，ｏ′の間に、打込み横長楔ｅ，ｉ，ｋ，ｎ，ｐを上記楔案内溝１１，１１′、１６，１６′、１７，１７′、１８，１８′に案内させながら打ち込んでなる。
【０００９】
請求項２記載の本発明木造建築物における接合連繋構造は、土台に取り付けた接合金具に柱の下端部を嵌合し、その接合金具と柱の下端部の楔用窓孔に、楔案内片を装着し、その楔案内片に重合案内させながら打込み横長楔を打ち込むことにより、柱全体を土台に向かって下降し、柱と土台を接合連繋している木造建築物における接合連繋構造において、楔用窓孔ｂ′，ｃ′に、たがいに対向する内面に楔案内溝１１，１１′、１６，１６′、１７，１７′、１８，１８′を掘設した一対の楔案内片ｄ，ｄ′、ｇ，ｇ′、ｊ，ｊ′、ｍ，ｍ′、ｏ，ｏ′を装着し、この一対の楔案内片ｄ，ｄ′、ｇ，ｇ′、ｊ，ｊ′、ｍ，ｍ′、ｏ，ｏ′の間に、打込み横長楔ｅ，ｉ，ｋ，ｎ，ｐを上記楔案内溝１１，１１′、１６，１６′、１７，１７′、１８，１８′に案内させながら打ち込んでなる。
【００１０】
請求項３記載の本発明は、一対の楔案内片ｄ，ｄ′、ｇ，ｇ′、ｊ，ｊ′、ｍ，ｍ′が、たがいに対向する内面に掘設している楔案内溝１１，１１′、１６，１６′、１７，１７′を、基端部９，９′を深く、先端部１０，１０′を浅くしている請求項１または２記載の木造建築物における接合連繋構造である。
【００１１】
請求項４記載の本発明は、一対の楔案内片ｏ，ｏ′が、たがいに対向する内面に掘設している楔案内溝１８，１８′を、基端部９，９′から先端部１０，１０′にわたり同じ深さにしている請求項１，２または３記載の木造建築物における接合連繋構造である。    
【００１２】
請求項５記載の本発明は、一方の楔案内片ｄ、ｇ、ｊ、ｍ、ｏが、その外面に縦凹溝１３を掘設し、その縦凹溝１３を接合金具ｂの楔用窓孔ｂ′の孔縁ｂ′１に嵌合している請求項１，２，３または４記載の木造建築物である。
【００１３】
請求項６記載の本発明は、一方の楔案内片ｄ、ｇ、ｊ、ｍ、ｏが、その先端部１０に係止部１２を突設し、その係止部１２に他方の楔案内片ｄ′、ｇ′、ｊ′、ｍ′、ｏ′の先端部１０′が係止している請求項１，２，３，４または５記載の木造建築物における接合連繋構造である。    
【００１４】
請求項７記載の本発明は、一方の楔案内片ｄが、その内面に掘設している楔案内溝１１を、先端部１０の係止部１２に貫通させている請求項６記載の木造建築物における接合連繋構造である。
【００１５】
請求項８記載の本発明は、一対の楔案内片ｄ，ｄ′、ｇ，ｇ′、ｊ，ｊ′、ｍ，ｍ′、ｏ，ｏ′および打込み横長楔ｅ，ｉ，ｋ，ｎ，ｐが木製、鉄等の金属製または合成樹脂製である請求項１，２，３，４，５または６記載の木造建築物における接合連繋構造である。
【発明の効果】
【００１６】
本発明においては、楔用窓孔ｂ′，ｃ′に一対の楔案内片ｄ，ｄ′、ｇ，ｇ′、ｊ，ｊ′、ｍ，ｍ′、ｏ，ｏ′を装着し、打込み横長楔ｅ，ｉ，ｋ，ｎ，ｐがそれら一対の楔案内片ｄ，ｄ′、ｇ，ｇ′、ｊ，ｊ′、ｍ，ｍ′、ｏ，ｏ′の間に、楔案内溝１１，１１′、１６，１６′、１７，１７′、１８，１８′に案内されるので、正確に打ち込まれ、しかも、打込み横長楔ｅ，ｉ，ｋ，ｎ，ｐが、梁ｃ（桁、柱）に形成される楔用窓孔ｃ′の内面に食い込みや変形を生じさせるようなことがない。
【００１７】
また、一方の楔案内片ｄ、ｇ、ｊ、ｍ、ｏの縦凹溝１３を接合金具ｂの芯板３の孔縁ｂ′１に嵌合させるとともに、その楔案内片ｄ、ｇ、ｊ、ｍ、ｏの係止部１２に他方の楔案内片ｄ′、ｇ′、ｊ′、ｍ′、ｏ′の先端部１０′の端面を係止させているので、打込み横長楔ｅ，ｉ，ｋ，ｎ，ｐを打ち込むのにともなって楔案内片ｄ′、ｇ′、ｊ′、ｍ′、ｏ′が、その打込み方向に一緒に移動し、楔用窓孔ｃ′から外方に飛び出してしまうようなこともない。
【００１８】
したがって、梁ｃと柱ａとの間（あるいは柱と土台との間）の接合連繋を設定どおり、緊密にしてかつ強固なものにできる。
【発明を実施するための最良の形態】
【００１９】
楔用窓孔ｂ′，ｃ′に、たがいに対向する内面に楔案内溝１１，１１′、１６，１６′、１７，１７′、１８，１８′を掘設した一対の楔案内片ｄ，ｄ′、ｇ，ｇ′、ｊ，ｊ′、ｍ，ｍ′、ｏ，ｏ′を装着し、この一対の楔案内片ｄ，ｄ′、ｇ，ｇ′、ｊ，ｊ′、ｍ，ｍ′、ｏ，ｏ′の間に、打込み横長楔ｅ，ｉ，ｋ，ｎ，ｐを上記楔案内溝１１，１１′、１６，１６′、１７，１７′、１８，１８′に案内させながら打ち込んでなる。
【実施例】
【００２０】
第１実施例（図１〜７）
この実施例は、梁と柱の接合連繋構造に係り、それは、概括的には、柱ａに取り付けた接合金具ｂに、梁ｃの端部を嵌合支持するとともに、その接合金具ｂの楔用窓孔ｂ′と梁ｃの端部の楔用窓孔ｃ′とに装着した一対の木製の楔案内片ｄ，ｄ′の間に同じく木製の打込み横長楔ｅを打ち込むことにより、上記接合金具ｂを介し、柱ａと梁ｃとを緊密にしてかつ強固に接合連繋するもので、この一対の楔案内片ｄ，ｄ′の間に打込み横長楔ｅを打ち込んでいることをもっとも重要な点としている。
【００２１】
上記接合金具ｂは、起立板１と底板２とでＬ形をなすとともに、これら起立板１の内面と底板２の上面との間に芯板３を設立固定し、その芯板３の略中央に方形の上記楔用窓孔ｂ′を開設している。
【００２２】
この接合金具ｂは、柱ａの側面所要位置に掘設形成した浅底凹処４に上記起立板１を嵌合し、複数組のボルト５とナット６とにより、柱ａにしっかりと取付け固定される。
【００２３】
上記梁ｃは、その端部の下面ｃ１に、接合金具ｂの底板２を受入するのに必要なそれと略同形，同大の浅底凹処７を掘削形成するとともに、該端部の（梁ｃの長軸線に沿う）中央には、接合金具ｂの芯板３を受入するのに必要なそれと略同形，同大の嵌合縦溝８を、上記端部の端面ｃ２と上面ｃ３および上記浅底凹処７に連通開口する状態にして掘削形成している。
また、梁ｃは、その端部の両側の側面ｃ４，ｃ５に開口する上記楔用窓孔ｂ′と同形，同大でかつ筒孔状の楔用窓孔ｃ′を、上記嵌合縦溝８を横断する状態において掘削形成している。
【００２４】
さらに、梁ｃは、柱ａに取付け固定されている上記接合金具ｂに対し、浅底凹処７を底板２に嵌合するとともに嵌合縦溝８を芯板３に嵌合し、かつ、楔用窓孔ｃ′と楔用窓孔ｂ′に略一致させた状態で、乗載支持される。
【００２５】
このとき、梁ｃの端面ｃ２は柱ａの対向側面との間および接合金具ｂの起立板１の内面との間に隙間ｆ１を空け、また、梁ｃの浅底凹処７の柱ａから遠い側の内面は接合金具ｂの底板２の端面との間に隙間ｆ２を空け、かつ、接合金具ｂの芯板３に形成の上記楔用窓孔ｂ′の柱ａから遠い側の孔縁ｂ′１を梁ｃの楔用窓孔ｃ′内に少し突出させ、反対に柱ａに近い側の孔縁ｂ′２を楔用窓孔ｃ′外に位置する状態にして、そこに隙間ｆ３を空けるとともに、梁ｃの嵌合縦溝８の内奥部と上記芯板３の後端３′との間に隙間ｆ４を空ける（図２）。
【００２６】
次に、上記楔案内片ｄ，ｄ′と打込み横長楔ｅについて説明する。
楔案内片ｄ，ｄ′は、長さＬを梁ｃの幅員（側面ｃ４，ｃ５間）と略同じにするとともに、高さｈを楔用窓孔ｂ′および楔用窓孔ｃ′の高さと略同じにし、幅ｗを高さｈの略２分の１とした木製の直方体であり、たがいに対向する垂直内面には、基端部９，９′側を深くし先端部１０，１０′側を浅くするが、高さ（幅）ｈ′を同じにする断面凹形の楔案内溝１１，１１′を掘設している。
【００２７】
また、楔案内片ｄは、その先端部１０の内面側に係止部１２を突設形成し、上記楔案内溝１１の先端部を係止部１２に貫通させるとともに、外面の長手方向中央に縦凹溝１３を掘設している。
楔案内片ｄ′はその先端部１０′に上記係止部１２の少なくとも端縁部分と噛合する切欠部１２′を形成している。
【００２８】
打込み横長楔ｅは、楔案内片ｄ，ｄ′の長さＬ、したがってまた梁ｃの幅員より十分に長い所要の長さを有し、断面が方形で、その高さｈ″については、基端部１４から先端部１５の全長にわたり上記楔案内溝１１，１１′の高さ（幅）ｈ′と略同じにするが、幅については、基端部１４側の幅ｗ１に比し先端部１５側の幅ｗ２を徐々に細くする先細の木製角棒状をなすものである。
【００２９】
そして、これら楔案内片ｄ，ｄ′と打込み横長楔ｅは、上記のように柱ａに取付け固定した接合金具ｂに梁ｃを乗載支持したところで、それらの楔用窓孔ｃ′と楔用窓孔ｂ′に装着され、これによって、柱ａと梁ｃとを接合金具ｂを介し緊密にしてかつ強固に接合連繋するものである。
【００３０】
それにはまず、楔案内片ｄ，ｄ′を、たがいの楔案内溝１１，１１′を対向させた状態（図６，７）で、一緒にあるいは個別に楔用窓孔ｃ′および楔用窓孔ｂ′に挿入し、楔案内片ｄの縦凹溝１３を、接合金具ｂの芯板３の孔縁ｂ′１（前記のように梁ｃの楔用窓孔ｃ′内に少し突出している）に嵌合させるとともに、楔案内片ｄの係止部１２に楔案内片ｄ′の切欠部１２′を噛合させる（図２）。
【００３１】
その後、打込み横長楔ｅを、楔案内片ｄ，ｄ′の基端部９，９′から楔案内溝１１，１１′に打ち込む。この打ち込みにより、梁ｃ全体が、接合金具ｂに沿い柱ａに向かって、前記隙間ｆ１〜ｆ４を縮小しながら徐々に前進移動し、ついには端面ｃ２を柱ａの側面に圧接する。
圧接が完全な状態となったとき、梁ｃの側面ｃ４，ｃ５から外方に突出している打込み横長楔ｅの基端部１４と先端部１５を鋸で切断除去する（図３）。
【００３２】
本実施例においては、打込み横長楔ｅが、楔案内片ｄ，ｄ′の楔案内溝１１，１１′に案内されながら打ち込まれ、柱ａに近い側の楔案内片ｄ′を介し、梁ｃ全体を前進移動させる。
したがって、打込み横長楔ｅが梁ｃの楔用窓孔ｃ′の内面に食い込みや変形を生じさせるようなことがない。
【００３３】
また、楔案内片ｄの縦凹溝１３を接合金具ｂの芯板３の孔縁ｂ′１に嵌合させるとともに、その楔案内片ｄの係止部１２に楔案内片ｄ′の切欠部１２′を噛合させているので、打込み横長楔ｅを楔案内溝１１，１１′に沿って打ち込むのにともなって楔案内片ｄ′が、その打込み方向に一緒に移動し、楔用窓孔ｃ′から外方に飛び出してしまうようなこともない。
【００３４】
したがって、梁ｃと柱ａとの間を緊密にしてかつ強固に接合連繋できる。
【００３５】
第２実施例（図８〜１４）
この実施例は、一対の楔案内片および打込み横長楔が金属製であり、そのためにそれらが木製であるのとその構造を異にすることにおいて、上記第１実施例と相違するが、その他の点は、同第１実施例と同様であるので、共通部分については同じ符号を付して説明を省略し、以下には相違点に関してだけ説明する。
【００３６】
楔案内片ｇは、長さＬを梁ｃの幅員（側面ｃ４，ｃ５間）と略同じにするとともに、高さｈを楔用窓孔ｂ′および楔用窓孔ｃ′の高さと略同じにし、幅ｗを高さｈの略２分の１とした鉄等の金属製の直方体であり、その一側内面に基端部９側を深くし先端部１０側を浅くするが、高さ（幅）ｈ′を同じにし、かつ内面を粗面とする断面凹形の楔案内溝１１を掘設するとともに、外面の長手方向中央に縦凹溝１３を掘設し、かつ、先端部１０の内面側に係止部１２を突設形成している。
【００３７】
また、楔案内片ｇ′は、高さｈを楔用窓孔ｂ′および楔用窓孔ｃ′の高さと略同じにし、幅ｗを高さｈの略２分の１とした鉄等の金属製の直方体であり、その一側内面に基端部９′側を深くし先端部１０′側を浅くするが、高さ（幅）ｈ′を同じにし、かつ内面を粗面とする断面凹形の楔案内溝１１′を掘設している。
しかし、この楔案内片ｇ′は、先端部１０′に係止部１２を形成することなく、したがって、その長さＬ′を係止部１２を形成していない分だけ楔案内片ｇの長さＬより短くし、また、外面に縦凹溝１３を掘設していないことにおいて、楔案内片ｇと異なる。
【００３８】
打込み横長楔ｉは、その長さを楔案内片ｇ′の長さＬ′と同じにするとともに、断面が方形で、その高さｈ″については、基端部１４から先端部１５の全長にわたり上記楔案内溝１１，１１′の高さ（幅）ｈ′と略同じにするが、幅については、基端部１４側の幅ｗ１に比し先端部１５側の幅ｗ２を徐々に細くし、かつ周面を粗面とする先細の鉄等の金属製角棒状をなすものである。
【００３９】
そして、これら楔案内片ｇ，ｇ′と打込み横長楔ｉは、柱ａに取付け固定した接合金具ｂに梁ｃを乗載支持したところで、それらの楔用窓孔ｃ′と楔用窓孔ｂ′に装着され、これによって、柱ａと梁ｃとを接合金具ｂを介し緊密にしてかつ強固に接合連繋するものである。
【００４０】
それにはまず、楔案内片ｇ，ｇ′を、たがいの楔案内溝１１，１１′を対向させた状態（図１３，１４）で、一緒にあるいは個別に、楔用窓孔ｃ′および楔用窓孔ｂ′に挿入し、楔案内片ｇの縦凹溝１３を、接合金具ｂの芯板３の孔縁ｂ′１（前記のように梁ｃの楔用窓孔ｃ′内に少し突出している）に嵌合させるとともに、楔案内片ｇの係止部１２に楔案内片ｇ′の先端部１０′の端面を係合せる（図８）。
【００４１】
その後、打込み横長楔ｉを、楔案内片ｇ，ｇ′の基端部９，９′側から楔案内溝１１，１１′に打ち込む。この打ち込みにより、梁ｃ全体が、接合金具ｂに沿い柱ａに向かって、前記隙間ｆ１〜ｆ４を縮小しながら徐々に前進移動し、ついには端面ｃ２を柱ａの側面に圧接する。
圧接が完全な状態となったとき、打込み横長楔ｉの先端部１５が楔案内片ｇの係止部１２に当接するとともに、基端部１４が、その端面を、楔案内片ｇ，ｇ′の基端９，９′の端面、したがってまた梁ｃの側面ｃ４と面一にするように、関係各部を設計してある（図９）。
【００４２】
本実施例においても、第１実施例と同じように、打込み横長楔ｉが、楔案内片ｇ，ｇ′の楔案内溝１１，１１′に案内されながら打ち込まれ、柱ａに近い側の楔案内片ｇ′を介し、梁ｃ全体を前進移動させる。
したがって、打込み横長楔ｉが梁ｃの楔用窓孔ｃ′の内面に食い込みや変形を生じさせるようなことがない。
【００４３】
また、楔案内片ｇの縦凹溝１３を接合金具ｂの芯板３の孔縁ｂ′１に嵌合させるとともに、その楔案内片ｇの係止部１２に楔案内片ｇ′の先端部１０′を係合させているので、打込み横長楔ｉを楔案内溝１１，１１′に沿って打ち込むのにともなって楔案内片ｇ′が、その打込み方向に一緒に移動し、楔用窓孔ｃ′から外方に飛び出してしまうようなこともない。
【００４４】
したがって、梁ｃと柱ａとの間の接合連繋を設定どおり、緊密にしてかつ強固に接合連繋できる。特に、楔案内片ｇ，ｇ′の楔案内溝１１，１１′の内面および打込み横長楔ｉの周面を粗面としているので、たがいの摩擦抵抗が大きく、地震等で当該木造建築物が振動することがあっても、不用意に弛緩するようなおそれはないものである。
【００４５】
図１５，１６は、第２実施例における上記楔案内片ｇ，ｇ′と打込み横長楔ｉの第１変形例を示している。
この変形例に係る楔案内片ｊ，ｊ′は、たがいの内面に形成した楔案内溝１６，１６′が、断面＞，＜形をなしていることにおいて、第２実施例の楔案内片ｇ，ｇ′の楔案内溝１１，１１′が断面凹形であるのと相違し、また、この変形例に係る打込み横長楔ｋは、その断面が菱形をなしていることにおいて、第２実施例の打込み横長楔ｉが断面方形であるのと相違し、その他の点は、第２実施例の楔案内片ｇ，ｇ′と打込み横長楔ｉと変わらない。
そこで、同じ構造部分については、説明を省略し、同じ符合を付しておくだけとする。
【００４６】
図１７，１８は、第２実施例における上記楔案内片ｇ，ｇ′と打込み横長楔ｉの第２変形例を示している。
この変形例に係る楔案内片ｍ，ｍ′は、外周面が半円形をなし、その内面に形成された楔案内溝１７，１７′が断面弧状をなしていることにおいて、第２実施例の楔案内片ｇ，ｇ′の外周面が角形で、楔案内溝１１，１１′が凹形であるのと相違し、また、この変形例に係る打込み横長楔ｎは、その断面が横向き楕円形をなしていることにおいて、第２実施例の打込み横長楔ｉが断面方形であるのと相違し、その他の点は、第２実施例の楔案内片ｇ，ｇ′と打込み横長楔ｉと変わらない。
そこで、同じ構造部分については、説明を省略し、同じ符合を付しておくだけとする。
【００４７】
なお、この第２変形例に係る楔案内片ｍ，ｍ′および打込み横長楔ｎを採用するに当たっては、前記接合金具ｂの楔用窓孔ｂ′の形状および梁ｃの楔用窓孔ｃ′の楔用窓孔ｂ′の形状を、楔案内片ｍ，ｍ′の外周面に一致する円形にし、たがいがの納まりが適合するようにしておくものである。  
【００４８】
図１９，２０は、第２実施例における上記楔案内片ｇ，ｇ′と打込み横長楔ｉの第３変形例を示している。
この変形例に係る楔案内片ｏ，ｏ′は、長さＬ，Ｌ′を第２実施例の楔案内片ｇ，ｇ′と同じにするとともに、高さｈを楔用窓孔ｂ′および楔用窓孔ｃ′の高さと略同じにし、幅ｗを高さｈの略２分の１とした鉄等の金属製の直方体であること、外面の長手方向中央に縦凹溝１３を掘設し、かつ、先端部１０の内面側に係止部１２を突設形成していることにおいては、第２実施例の楔案内片ｇ，ｇ′と同じである。
【００４９】
しかし、この変形例に係る楔案内片ｏ，ｏ′は、第２実施例の楔案内片ｇ，ｇ′と相違し、その内面に形成した楔案内溝１８，１８′が、基端部９から先端部１０までの全長にわたり、深さおよび高さ（幅）ｈ′を同じに掘設形成され、その他の点については第２実施例の楔案内片ｇ，ｇ′と同じにしている。
【００５０】
また、この変形例に係る打込み横長楔ｐは、長さを第２実施例の打込み横長楔ｉの長さと同じにするとともに、断面が方形で、その高さｈ″については、基端部１４から先端部１５の全長にわたり上記楔案内溝１１，１１′の高さ（幅）ｈ′と略同じにするとともに、幅ｗ３については、全長にわたり同じにし、僅かに先端部１５の辺縁を面取り加工した鉄等の金属製角棒状をなすものである。
【００５１】
これら楔案内片ｏ，ｏ′と打込み横長楔ｐもまた、第２実施例の楔案内片ｇ，ｇ′と打込み横長楔ｉの場合と同じように、柱ａに取付け固定した接合金具ｂに梁ｃを乗載支持したところで、それらの楔用窓孔ｃ′と楔用窓孔ｂ′に装着することによって、梁ｃ全体が、接合金具ｂに沿い柱ａに向かって、前記隙間ｆ１〜ｆ４を縮小しながら徐々に前進移動し、ついには端面ｃ２を柱ａの側面に圧接させるものである。
【産業上の利用可能性】
【００５２】
以上第１，２実施例、および第２実施例に係る楔案内片と打込み横長楔の第１〜３変形例は、柱ａと梁ｃとを接合連繋する場合について説明したが、本発明は、柱と桁との接合連繋に適用できるのはもちろん、接合金具ｂを土台（図示していない）に取付け、その接合金具ｂに柱ａの下端部を嵌合する構造とすることによって、土台と柱を接合連繋する場合にも同様に適用できる。
【００５３】
また、一対の楔案内片ｄ，ｄ′、ｇ，ｇ′、ｊ，ｊ′、ｍ，ｍ′、ｏ，ｏ′および打込み横長楔ｅ，ｉ，ｋ，ｎ，ｐについては、これらを、木製、鉄等の金属製または合成樹脂製とすることができ、特に、第１実施例においては、楔案内片ｄ，ｄ′および打込み横長楔ｅを木製の場合に関して説明したが、楔案内片ｄ，ｄ′だけを金属製または合成樹脂製としてもよい。
【図面の簡単な説明】
【００５４】
【図１】本発明の第１実施例に係る梁と柱の接合連繋構造の分解状態の斜視図である。
【図２】第１実施例に係る梁と柱の接合連繋構造において、一対の楔案内片の間に打込み横長楔を打ち込もうとしている状態の横断平面図である。
【図３】図２における打込み横長楔の打ち込みを終えた状態の横断平面図である。
【図４】図３における打込み横長楔の突出基端と先端を切除し終えた状態の側面図である。
【図５】第１実施例の一対の楔案内片と打込み横長楔の斜視図である。
【図６】上記一対の楔案内片の横断平面と打込み横長楔の平面を示す図である。
【図７】同じく一対の楔案内片と打込み横長楔の平面図である。
【図８】本発明の第２実施例に係る梁と柱の接合連繋構造において、一対の楔案内片の間に打込み横長楔を打ち込もうとしている状態の横断平面図である。
【図９】図８における打込み横長楔の打ち込みを終えた状態の横断平面図である。
【図１０】同上の側面図である。
【図１１】第２実施例の一対の楔案内片と打込み横長楔の斜視図である。
【図１２】同じく第２実施例の一対の楔案内片と打込み横長楔の斜視図である。
【図１３】上記一対の楔案内片の横断平面と打込み横長楔の平面を示す図である。
【図１４】同じく上記一対の楔案内片と打込み横長楔の平面図である。
【図１５】第２実施例の上記楔案内片の第１変形例である一対の楔案内片と打込み横長楔の斜視図である。
【図１６】同じく上記一対の楔案内片と打込み横長楔の斜視図である。
【図１７】第２実施例の上記楔案内片の第２変形例である一対の楔案内片と打込み横長楔の斜視図である。
【図１８】同じく上記一対の楔案内片と打込み横長楔の斜視図である。
【図１９】第２実施例の上記楔案内片の第３変形例である一対の楔案内片と打込み横長楔の斜視図である。
【図２０】同じく上記一対の楔案内片と打込み横長楔の斜視図である。
【符号の説明】
【００５５】
ａ                    柱
ｂ                    接合金具
ｃ                    梁
ｂ′，ｃ′            楔用窓孔
ｂ′１                孔縁
ｄ，ｄ′、ｇ，ｇ′    楔案内片
ｊ，ｊ′、ｍ，ｍ′    楔案内片
ｏ，ｏ′              楔案内片
ｅ，ｉ，ｋ，ｎ，ｐ    打込み横長楔
９，９′              基端部
１０，１０′          先端部
１１，１１′          楔案内溝
１２                  係止部
１３                  縦凹溝
１６，１６′          楔案内溝
１７，１７′          楔案内溝
１８，１８′          楔案内溝
【図１】
2005200937.tif 000003
【図２】
2005200937.tif 000004
【図３】
2005200937.tif 000005
【図４】
2005200937.tif 000006
【図５】
2005200937.tif 000007
【図６】
2005200937.tif 000008
【図７】
2005200937.tif 000009
【図８】
2005200937.tif 000010
【図９】
2005200937.tif 000011
【図１０】
2005200937.tif 000012
【図１１】
2005200937.tif 000013
【図１２】
2005200937.tif 000014
【図１３】
2005200937.tif 000015
【図１４】
2005200937.tif 000016
【図１５】
2005200937.tif 000017
【図１６】
2005200937.tif 000018
【図１７】
2005200937.tif 000019
【図１８】
2005200937.tif 000020
【図１９】
2005200937.tif 000021
【図２０】
2005200937.tif 000022